(57)【特許請求の範囲】
【請求項１】
建物の壁床等の構築面に沿って配設される配線・配管材を保護する直状保護カバーとつながって、前記配線・配管材を保護する付属保護カバーであって、
前記構築面に当接する当接面を有してその構築面に固定される基台と、その基台に組み付けられて、その基台との間に前記配線・配管材が通る通路を形成するカバーとを備え、
前記直状保護カバーが内側に嵌められるようにして接続される接続口を有し、
この付属保護カバーの内周面には、前記接続口よりも奥側に、挿通される前記配線・配管材を、接続された前記直状保護カバーの端面を避けるようにして前記通路から前記直状保護カバー内に案内する案内部が、前記内周面から突出するように設けられることを特徴とする、配線・配管材の付属保護カバー。
【請求項２】
前記案内部は、前記内周面から、接続された前記直状保護カバーの内部側に向かって延びて、前記配線・配管材を前記直状保護カバーの内部側に向かうように案内する、案内傾斜面を有することを特徴とする、請求項１に記載の配線・配管材の付属保護カバー。
【請求項３】
曲がって配設される前記配線・配管材のその曲り部を保護すべく、曲がって形成されて、その曲がりの各端側に、前記接続口が設けられることを特徴とする、請求項１または２に記載の配線・配管材の付属保護カバー。
【請求項４】
前記案内部は、少なくとも前記曲がりにおける外側に設けられることを特徴とする、請求項３に記載の配線・配管材の付属保護カバー。
【請求項５】
平面からなる前記構築面における、その平面での前記曲り部を保護すべく、前記平面上を曲がるように形成されて、その曲がりの内側および外側に位置する内側壁および外側壁と、それら内側壁と外側壁とをつなぐ、底板および天板とからなり、
前記案内部は、少なくとも前記外側壁および前記天板に設けられることを特徴とする、請求項３または４に記載の配線・配管材の付属保護カバー。
【請求項６】
入隅を形成する２平面からなる前記構築面における、その入隅での前記曲り部を保護すべく、前記入隅上を曲がるように形成されて、その曲がりのラインを含む平面を挟んで対峙する両側壁と、それら側壁どうしをつなぐ、底板および天板とからなり、
前記案内部は、少なくとも前記両側壁に設けられることを特徴とする、請求項３または４に記載の配線・配管材の付属保護カバー。
【請求項７】
出隅を形成する２平面からなる前記構築面における、その出隅での前記曲り部を保護すべく、前記出隅上を曲がるように形成されて、その曲がりのラインを含む平面を挟んで対峙する両側壁と、それら側壁どうしをつなぐ、底板および天板とからなり、
前記案内部は、少なくとも前記両側壁および前記天板に設けられることを特徴とする、請求項３または４に記載の配線・配管材の付属保護カバー。
【発明の詳細な説明】
【技術分野】
【０００１】
この発明は、直状保護カバーとつながる、配線・配管材の付属保護カバーに関するものである。
【背景技術】
【０００２】
従来、配線・配管材を配設するに当たって、その配線・配管材を保護する直状保護カバーとか付属保護カバーが用いられた（例えば、特許文献１参照）。図２５に示すように、付属保護カバー１１の端部には、接続口１２が設けられていた。そこで、この接続口１２に直状保護カバー１３の端部が挿入されるようにして、直状保護カバー１３と付属保護カバー１１とが連続するように配備された。
【先行技術文献】
【特許文献】
【０００３】
【特許文献１】特開２００７−７８０６４号公報（段落０００２、０００３、図２１）
【発明の概要】
【発明が解決しようとする課題】
【０００４】
とろで、前記従来の付属保護カバー１１にあっては、その付属保護カバー１１を直状保護カバー１３と連続するように配備した後に、付属保護カバー１１から直状保護カバー１３側に向かって、配線・配管材を挿通する際に、その配線・配管材の先端が、付属保護カバー１１内で直状保護カバー１３の端面１４に当たることがあった。そして、このように、配線・配管材の先端が直状保護カバー１３の端面１４に当たると、配線・配管材を直状保護カバー１３側へと進めることが困難となり、この配線・配管材の配設作業の効率が悪かった。
【０００５】
この発明は、上記した従来の欠点を解決するためになされたものであり、その目的とするところは、配線・配管材の配設作業を効率良く行うことができる、配線・配管材の付属保護カバーを提供することにある。
【課題を解決するための手段】
【０００６】
この発明に係る配線・配管材の付属保護カバーは、前記目的を達成するために、次の構成からなる。すなわち、
請求項１に記載の発明に係る配線・配管材の付属保護カバーは、建物の壁床等の構築面に沿って配設される配線・配管材を保護する直状保護カバーとつながって、前記配線・配管材を保護する付属保護カバーである。この付属保護カバーは、前記構築面に当接する当接面を有してその構築面に固定される基台と、その基台に組み付けられて、その基台との間に前記配線・配管材が通る通路を形成するカバーとを備える。そして、付属保護カバーは、前記直状保護カバーが内側に嵌められるようにして接続される接続口を有する。そこで、この付属保護カバーの内周面には、前記接続口よりも奥側に、挿通される前記配線・配管材を、接続された前記直状保護カバーの端面を避けるようにして前記通路から前記直状保護カバー内に案内する案内部が、前記内周面から突出するように設けられる。
【０００７】
この付属保護カバーによると、基台とカバーとの間に、配線・配管材が通る通路が形成される。そして、付属保護カバーの接続口に直状保護カバーが内側に嵌められるようにして接続され、これら直状保護カバーと付属保護カバーとは互いにつながって連続するように配備される。こうして、直状保護カバーと付属保護カバーとが配備された後に、付属保護カバーから直状保護カバー側に向かって、配線・配管材を挿通すると、その配線・配管材は、付属保護カバーの内周面に設けられた案内部によって、通路から、直状保護カバーの端面を越えて直状保護カバー内に案内される。したがって、この案内部により、配線・配管材を付属保護カバーから直状保護カバー側へと円滑に送ることができる。
【０００８】
また、請求項２に記載の発明に係る配線・配管材の付属保護カバーは、請求項１に記載の付属保護カバーにおいて、前記案内部は、前記内周面から、接続された前記直状保護カバーの内部側に向かって延びて、前記配線・配管材を前記直状保護カバーの内部側に向かうように案内する、案内傾斜面を有する。
【０００９】
また、請求項３に記載の発明に係る配線・配管材の付属保護カバーは、請求項１または２に記載の付属保護カバーにおいて、曲がって配設される前記配線・配管材のその曲り部を保護すべく、曲がって形成されて、その曲がりの各端側に、前記接続口が設けられる。
【００１０】
また、請求項４に記載の発明に係る配線・配管材の付属保護カバーは、請求項３に記載の付属保護カバーにおいて、前記案内部は、少なくとも前記曲がりにおける外側に設けられる。付属保護カバーが曲がって形成されると、付属保護カバーから直状保護カバー側に向かう配線・配管材は、主に付属保護カバーの曲がりにおける外側を通る。したがって、この外側に案内部を設けることで、配線・配管材を、直状保護カバー側へと的確に導くことができる。
【００１１】
また、請求項５に記載の発明に係る配線・配管材の付属保護カバーは、請求項３または４に記載の付属保護カバーにおいて、平面からなる前記構築面における、その平面での前記曲り部を保護すべく、前記平面上を曲がるように形成されて、その曲がりの内側および外側に位置する内側壁および外側壁と、それら内側壁と外側壁とをつなぐ、底板および天板とからなる。そこで、前記案内部は、少なくとも前記外側壁および前記天板に設けられる。
【００１２】
また、請求項６に記載の発明に係る配線・配管材の付属保護カバーは、請求項３または４に記載の付属保護カバーにおいて、入隅を形成する２平面からなる前記構築面における、その入隅での前記曲り部を保護すべく、前記入隅上を曲がるように形成されて、その曲がりのラインを含む平面を挟んで対峙する両側壁と、それら側壁どうしをつなぐ、底板および天板とからなる。そこで、前記案内部は、少なくとも前記両側壁に設けられる。
【００１３】
また、請求項７に記載の発明に係る配線・配管材の付属保護カバーは、請求項３または４に記載の付属保護カバーにおいて、出隅を形成する２平面からなる前記構築面における、その出隅での前記曲り部を保護すべく、前記出隅上を曲がるように形成されて、その曲がりのラインを含む平面を挟んで対峙する両側壁と、それら側壁どうしをつなぐ、底板および天板とからなる。そこで、前記案内部は、少なくとも前記両側壁および前記天板に設けられる。
【発明の効果】
【００１４】
この発明に係る配線・配管材の付属保護カバーによれば、案内部により、配線・配管材を付属保護カバーから直状保護カバー側へと円滑に送ることができ、これにより、配線・配管材の配設作業を効率良く行うことができる。
【図面の簡単な説明】
【００１５】
【図１】この発明の第一の実施の形態の、平面図である。
【図２】同じく、図１におけるＡ−Ａ線による断面図である。
【図３】同じく、図２におけるＢ−Ｂ線による断面図である。
【図４】同じく、図２におけるＣ−Ｃ線による拡大断面図である。
【図５】同じく、基台の斜視図である。
【図６】同じく、カバーの斜視図である。
【図７】同じく、カバーの正面図である。
【図８】同じく、カバーの底面図である。
【図９】同じく、図３において、配線・配管材としての光ファイバーを挿通し、その光ファイバーの先端が、第１の案内部に当たった状態を示す、断面図である。
【図１０】同じく、図３において、挿通した光ファイバーが、第１の案内部に当たった後、その案内部に案内されて直状保護カバー内に向かう過程を示す、断面図である。
【図１１】この発明の第二の実施の形態の、縦断面図である。
【図１２】同じく、図１１におけるＤ−Ｄ線による断面図である。
【図１３】同じく、図１１におけるＥ−Ｅ線による断面図である。
【図１４】同じく、基台の斜視図である。
【図１５】同じく、基台の縦断面図である。
【図１６】同じく、カバーの斜視図である。
【図１７】同じく、カバーの縦断面図である。
【図１８】この発明の第三の実施の形態の、縦断面図である。
【図１９】同じく、図１８におけるＦ−Ｆ線による断面図である。
【図２０】同じく、基台の斜視図である。
【図２１】同じく、基台の縦断面図である。
【図２２】同じく、カバーの斜視図である。
【図２３】同じく、カバーの縦断面図である。
【図２４】同じく、カバーの正面図である。
【図２５】従来の付属保護カバーを示す斜視図である。
【発明を実施するための形態】
【００１６】
以下、この発明に係る配線・配管材の付属保護カバーを実施するための形態を図面に基づいて説明する。
【００１７】
図１〜図１０は、本発明の第一の実施の形態を示す。図中符号１は、建物の壁床等の構築面である。２は、前記構築面１に沿って配設される光ファイバー等の配線・配管材Ｗ（配線材または配管材）を保護する直状保護カバー、すなわち真っ直ぐ延びるように形成された保護カバーである。３は、前記直状保護カバー２とつながって、前記配線・配管材Ｗを保護する付属保護カバーである。なお、図１〜図４は、直状保護カバー２、２と付属保護カバー３とを、構築面１に配備した状態を示す。そして、図５は、付属保護カバー３における基台４を示し、図６〜図８は、付属保護カバー３におけるカバー５を示す。また、図９および図１０は、直状保護カバー２および付属保護カバー３に配線・配管材Ｗを挿通する過程を示す。
【００１８】
ここで、直状保護カバー２は、左右の側壁２ｉ、２ｉと、それら側壁２ｉ、２ｉをつなぐ、底板２ｊおよび天板２ｋとからなる。
【００１９】
付属保護カバー３は、前記構築面１に当接する当接面３ａを有してその構築面１に固定される基台４と、その基台４に組み付けられて、その基台４との間に前記配線・配管材Ｗが通る通路３ｂを形成するカバー５とを備える。一方において、この付属保護カバー３は、直状保護カバー２が内側に嵌められるようにして接続される接続口３ｃを有する。図示実施の形態においては、直状保護カバー２における側壁２ｉ、２ｉおよび天板２ｋが、接続口３ｃの内側に嵌められ、底板２ｊが、付属保護カバー３の後述する底板３ｈに突き合わされる（図３および図４参照）。そこで、この付属保護カバー３の内周面には、接続口３ｃよりも奥側に、挿通される前記配線・配管材Ｗを、接続された直状保護カバー２の端面２ａ（図示実施の形態においては、側壁２ｉおよび天板２ｋの端面）を避けるようにして通路３ｂから直状保護カバー２内に案内する案内部３ｄが、その内周面から突出するように設けられる。そして、この案内部３ｄは、付属保護カバー３の内周面から、接続された直状保護カバー２の内部側に向かって延びて、前記配線・配管材Ｗを通路３ｂから直状保護カバー２の内部側に向かうように案内する、案内傾斜面３ｅを有する。
【００２０】
詳細には、付属保護カバー３は、曲がって配設される配線・配管材Ｗのその曲り部を保護すべく、曲がって形成されて、その曲がりの各端側に、前記接続口３ｃが設けられる。そして、前記案内部３ｄは、少なくとも、付属保護カバー３の曲がりにおける外側に設けられる。
【００２１】
より詳細には、付属保護カバー３は、平面１ａからなる前記構築面１における、その平面１ａでの配線・配管材Ｗの曲り部を保護すべく、前記平面１ａ上を曲がるように形成される。そして、この付属保護カバー３に設けられる（詳しくは、付属保護カバー３の曲がりの各端側に設けられる）接続口３ｃは、外側にふくらむことなく形成される。
【００２２】
具体的には、付属保護カバー３は、その曲がりの内側および外側に位置する内側壁３ｆおよび外側壁３ｇと、それら内側壁３ｆと外側壁３ｇとをつなぐ、底板３ｈおよび天板３ｉとからなる。そこで、好ましくは、案内部３ｄは、少なくとも外側壁３ｇおよび天板３ｉに設けられる。
【００２３】
ここにおいて、基台４は、例えば合成樹脂製であって、付属保護カバー３の内側壁３ｆおよび外側壁３ｇの一部を構成する第１内側壁４ａおよび第１外側壁４ｂと、それら第１内側壁４ａと第１外側壁４ｂとをつなぐ前記底板３ｈとが、一体に形成されている。そして、第１内側壁４ａおよび第１外側壁４ｂの下端面と底板３ｈの下面が面一となって、前記当接面３ａを形成している。そして、この底板３ｈには、基台４を構築面１に固定するための、固定孔４ｃ、４ｃがあけられており、この固定孔４ｃ、４ｃを通って構築面１にねじ込まれたり打ち込まれたりする、ビスとか釘とかの固着具により、基台４は、構築面１に取付固定される。また、底板３ｈは、その曲がりの各端部が、第１内側壁４ａおよび第１外側壁４ｂのそれぞれの各端部、つまりは内側壁３ｆおよび外側壁３ｇのそれぞれの各端部よりも控えて位置しており、その端面は、直状保護カバー２の端面２ａ（詳細には、底板２ｊの端面）が突き当たる突当て面４ｄとなっている。したがって、第１内側壁４ａおよび第１外側壁４ｂにおける、突当て面４ｄよりも突出する部分は、付属保護カバー３の前記接続口３ｃの一部を構成する第１接続口４ｅとなる。
【００２４】
そして、この基台４には、前記案内部３ｄとしての第１の案内部４ｆが設けられている。この第１の案内部４ｆは、第１接続口４ｅよりも奥側に、詳細には、先端が突当て面４ｄから若干控えて位置する。また、この第１の案内部４ｆは、付属保護カバー３の曲がりにおける外側に設けられており、第１外側壁４ｂの内周面から突当て面４ｄ側に向かって斜めに突出するとともに、底板３ｈの内周面から起立するように（図示実施の形態においては、垂直に起立するように）形成されている（図３、図５参照）。そして、この第１の案内部４ｆにおける第１内側壁４ａ側を向く面が、前記案内傾斜面３ｅとしての第１の案内傾斜面４ｇとなり、この第１の案内傾斜面４ｇは、第１外側壁４ｂから離れるほど第１接続口４ｅに向かうように傾斜して形成されている。ところで、第１の案内部４ｆは、一定の肉厚を有する第１外側壁４ｂ（外側壁３ｇ）から斜めに突出し、その案内部４ｆの裏側の第１外側壁４ｂ（外側壁３ｇ）との間に肉ぬすみＱが設けられることから、第１外側壁４ｂ（外側壁３ｇ）の表側におけるヒケの発生を防ぐことができる。
【００２５】
また、基台４は、第１内側壁４ａおよび第１外側壁４ｂの上面が合せ面４ｈとなって、カバー５が組み付けられた際には、そのカバー５の後述する第２内側壁５ａおよび第２外側壁５ｂの合せ面５ｉとなる下面と合わさることとなる。そして、第１内側壁４ａおよび第１外側壁４ｂからは、その内寄りの位置から突出するように係合凸部４ｉ、４ｉが形成され、また、第１内側壁４ａおよび第１外側壁４ｂの内周面には、爪状の第１係止部４ｊ、４ｊが形成されている。そして、この第１係止部４ｊを挟むように、第１内側壁４ａおよび第１外側壁４ｂの内周面には、突部４ｋ、４ｋが形成されている。ここで、特に第１外側壁４ｂに設けられた第１係止部４ｊは、各々の第１接続口４ｅ寄りに位置しており、この第１係止部４ｊを挟む突部４ｋ、４ｋのうちの、第１接続口４ｅから離れた側の突部４ｋの、第１接続口４ｅとは反対側には、第１外側壁４ｂから離れるほど第１接続口４ｅに向かう傾斜面４ｍが設けられている。
【００２６】
カバー５は、例えば合成樹脂製であって、付属保護カバー３の内側壁３ｆおよび外側壁３ｇの一部を構成する第２内側壁５ａおよび第２外側壁５ｂと、それら第２内側壁５ａと第２外側壁５ｂとをつなぐ前記天板３ｉとが、一体に形成されている。そこで、この第２内側壁５ａと基台４における第１内側壁４ａとで、付属保護カバー３の内側壁３ｆが形成され、同様に、第２外側壁５ｂと基台４における第１外側壁４ｂとで、付属保護カバー３の外側壁３ｇが形成される。そして、このカバー５の各端部が、付属保護カバー３の前記接続口３ｃの一部を構成する第２接続口５ｃとなる。つまり、この第２接続口５ｃと基台４における第１接続口４ｅとで、付属保護カバー３の接続口３ｃが形成される。
【００２７】
そして、このカバー５には、前記案内部３ｄとしての第２および第３の案内部５ｄ、５ｅが設けられている。第２の案内部５ｄは、第２接続口５ｃよりも奥側に、天板３ｉから第２外側壁５ｂに渡って延びるようにして、それら天板３ｉおよび第２外側壁５ｂの内周面から突出して形成されている。そこで、この第２の案内部５ｄは、第２外側壁５ｂ側が、付属保護カバー３の曲がりにおける外側に位置することとなる。そして、この第２の案内部５ｄにおける奥側の面が、前記案内傾斜面３ｅとしての第２の案内傾斜面５ｆとなり、この第２の案内傾斜面５ｆは、天板３ｉおよび第２外側壁５ｂから離れるほど第２接続口５ｃに向かうように傾斜して形成される。図示実施の形態においては、この第２の案内部５ｄは、その長手方向に延びる溝５ｇにより、第２の案内傾斜面５ｆを長手方向に沿って分割するように、二つに分断されて形成されている。第３の案内部５ｅは、第２の案内部５ｄよりも奥側であって、その第２の案内部５ｄから間隔をあけた位置に、第２外側壁５ｂの内周面から突出して形成されている。そこで、この第３の案内部５ｅは、付属保護カバー３の曲がりにおける外側に位置することとなる。そして、この第３の案内部５ｅにおける奥側の面が、前記案内傾斜面３ｅとしての第３の案内傾斜面５ｈとなり、この第３の案内傾斜面５ｈは、第２外側壁５ｂから離れるほど第２接続口５ｃに向かうように傾斜して形成される。
【００２８】
また、カバー５は、前述したように、第２内側壁５ａおよび第２外側壁５ｂの下面が合せ面５ｉとなって、基台４に組み付けられた際には、その基台４の第１内側壁４ａおよび第１外側壁４ｂに設けられた合せ面４ｈと合わさる。そして、第２内側壁５ａおよび第２外側壁５ｂには、その内周面側において合せ面５ｉから天板３ｉ方向に向かって窪む係合凹部５ｊ、５ｊが形成され、また、第２内側壁５ａおよび第２外側壁５ｂの内周面からは、下方に突出するようにして、爪を有する第２係止部５ｋ、５ｋが形成されている。そこで、カバー５と基台４との組付けの際には、係合凹部５ｊと基台４の係合凸部４ｉとが係合することで、カバー５と基台４とは、互いに位置決めされ、第２係止部５ｋが基台４の第１係止部４ｊに係止されることで、カバー５は、基台４に取り付けられる。
【００２９】
また、第２外側壁５ｂに設けられた第２係止部５ｋは、第２接続口５ｃ寄りに位置しており、この第２係止部５ｋの、第２接続口５ｃとは反対側には、第２外周壁５ｂから離れるほど第２接続口５ｃに向かう傾斜面５ｍが設けられている。そこで、この傾斜面５ｍと基台４の突部４ｋに設けられた傾斜面４ｍにより、付属保護カバー３から直状保護カバー２側に向かって挿通される配線・配管材Ｗを、第２係止部５ｋや基台４の第１係止部４ｊとの干渉を避けて、通過させることができる。
【００３０】
次に、以上の構成からなる付属保護カバー３の作用効果について説明する。この付属保護カバー３によると、基台４とカバー５との間に、配線・配管材Ｗが通る通路３ｂが形成される。そして、付属保護カバー３の接続口３ｃに直状保護カバー２が内側に嵌められるようにして接続され、これら直状保護カバー２と付属保護カバー３とは互いにつながって連続するように配備される。
【００３１】
こうして、直状保護カバー２と付属保護カバー３とが配備された後に、付属保護カバー３から直状保護カバー２側に向かって（図示実施の形態においては、一方の直状保護カバー２から付属保護カバー３側に向かい、続いて、その付属保護カバー３からもう一方の直状保護カバー２側に向かって）、配線・配管材Ｗを挿通すると、その配線・配管材Ｗ（図示実施の形態においては、一方の直状保護カバー２から付属保護カバー３に進んだ配線・配管材）は、付属保護カバー３の内周面に設けられた案内部３ｄ（４ｆ、５ｄ、５ｅ）によって、通路３ｂから、直状保護カバー２（図示実施の形態においては、もう一方の直状保護カバー２）の端面２ａを越えてその直状保護カバー２内に案内される（図９、図１０参照）。したがって、この案内部３ｄ（４ｆ、５ｄ、５ｅ）により、配線・配管材Ｗを付属保護カバー３から直状保護カバー２側へと円滑に送ることができ、これにより、配線・配管材Ｗの配設作業を効率良く行うことができる。なお、図９は、配線・配管材Ｗとしての光ファイバーＷ１の先端が、案内部３ｄとしての第１の案内部４ｆに当たった状態を示し、図１０は、前記光ファイバーＷ１が、第１の案内部４ｆに案内されて直状保護カバー２内に向かう過程を示す。
【００３２】
また、付属保護カバー３が曲がって形成されると、付属保護カバー３から直状保護カバー２側に向かう配線・配管材Ｗは、主に付属保護カバー３の曲がりにおける外側を通る。したがって、この外側に案内部３ｄを設けることで、配線・配管材Ｗを、直状保護カバー２側へと的確に導くことができる。
【００３３】
また、この付属保護カバー３における接続口３ｃは、外側にふくらむことなく形成されているため、見栄えがよい。
【００３４】
図１１〜図１７は、本発明の第二の実施の形態を示す。この実施の形態では、付属保護カバー３が構築面１における入隅１ｘに配備され、このため、第一の実施の形態とは、付属保護カバー３の曲がりの方向が異なるが、他は同様であり、以下に、同様の部位には、同一の符号を付して異なる部分を主に説明する。なお、図１１〜図１３は、直状保護カバー２、２と付属保護カバー３とを、構築面１に配備した状態を示す。そして、図１４および図１５は、基台４を示し、図１６および図１７は、カバー５を示す。
【００３５】
この付属保護カバー３は、入隅１ｘを形成する２平面１ａ、１ａからなる構築面１における、その入隅１ｘでの配線・配管材の曲り部を保護すべく、前記入隅１ｘ上を曲がるように形成される。そして、この付属保護カバー３に設けられる（詳しくは、付属保護カバー３の曲がりの各端側に設けられる）接続口３ｃは、外側にふくらむことなく形成される。
【００３６】
具体的には、付属保護カバー３は、その曲がりのラインを含む平面を挟んで対峙する両側壁３ｊ、３ｊと、それら側壁３ｊ、３ｊどうしをつなぐ、底板３ｈおよび天板３ｉとからなる。そこで、好ましくは、案内部３ｄは、少なくとも両側壁３ｊ、３ｊに設けられる。
【００３７】
ここにおいて、基台４は、例えば合成樹脂製であって、付属保護カバー３の側壁３ｊ、３ｊの一部を構成する第１側壁４ｎ、４ｎと、それら第１側壁４ｎ、４ｎどうしをつなぐ前記底板３ｈとが、一体に形成される。そして、第１側壁４ｎは、その下端面が直角に折れ曲がって形成され、底板３ｈは、両端部分が平板状に形成され、中間部分が湾曲して形成されている。そこで、第１側壁４ｎ、４ｎの下端面と底板３ｈの両端部分の下面が面一となって、構築面１に当接する当接面３ａを形成する。そして、この底板３ｈには、基台４を構築面１に固定するための、固定孔４ｃ、４ｃがあけられており、この固定孔４ｃ、４ｃを通って構築面１にねじ込まれたり打ち込まれたりする、ビスとか釘とかの固着具により、基台４は、構築面１に取付固定される。また、底板３ｈは、その曲がりの各端部が、第１側壁４ｎ、４ｎのそれぞれの各端部、つまりは側壁３ｊ、３ｊのそれぞれの各端部よりも控えて位置しており、その端面は、直状保護カバー２の端面２ａ（詳細には、底板２ｊの端面）が突き当たる突当て面４ｄとなる。したがって、第１側壁４ｎ、４ｎにおける、突当て面４ｄよりも突出する部分は、付属保護カバー３の接続口３ｃの一部を構成する第１接続口４ｅとなる。
【００３８】
そして、この基台４に、案内部３ｄが設けられる。この案内部３ｄは、第１接続口４ｅよりも奥側に、詳細には、先端が突当て面４ｄと面一となって位置する。また、この案内部３ｄは、付属保護カバー３の曲がりにおける外側に設けられており、第１側壁４ｎの内周面から突当て面４ｄ側に向かって斜めに突出するとともに、底板３ｈの内周面から起立するように（図示実施の形態においては、第１側壁４ｎ側に傾いた状態で起立するように）形成されている（図１３、図１４参照）。そして、この案内部３ｄにおける対峙する第１側壁４ｎ側を向く面が、案内傾斜面３ｅとなり、この案内傾斜面３ｅは、第１側壁４ｎから離れるほど第１接続口４ｅに向かうように傾斜して（図示実施の形態においては、第１側壁４ｎから離れるほど第１接続口４ｅに向かうように傾斜するとともに、底板３ｈから離れるほど第１側壁４ｎに近づくように傾斜して）形成されている。ところで、案内部３ｄは、一定の肉厚を有する第１側壁４ｎ（側壁３ｊ）から斜めに突出し、その案内部３ｄの裏側の第１側壁４ｎ（側壁３ｊ）との間に肉ぬすみＱが設けられることから、第１側壁４ｎ（側壁３ｊ）の表側におけるヒケの発生を防ぐことができる。
【００３９】
また、基台４は、第１側壁４ｎの上面が合せ面４ｈとなって、カバー５が組み付けられた際には、そのカバー５の後述する第２側壁５ｎの合せ面５ｉとなる下面と合わさることとなる。そして、第１側壁４ｎからは、その内寄りの位置から突出するように係合凸部４ｉ、４ｉが形成され、また、第１側壁４ｎの内周面には、爪状の第１係止部４ｊが形成されている。そして、この第１係止部４ｊを挟むように、第１側壁４ｎの内周面には、突部４ｋ、４ｋが形成されており、さらに、これら両突部４ｋ、４ｋを挟むように、第１側壁４ｎの内周面には、円弧状に湾曲する傾斜面を有する他の突部４ｐ、４ｐが形成されている。そこで、この傾斜面を有する他の突部４ｐ、４ｐにより、付属保護カバー３に挿通される配線・配管材を、突部４ｋや第１係止部４ｊや後述する第２係止部５ｋとの干渉を避けて、通過させることができる。
【００４０】
カバー５は、例えば合成樹脂製であって、付属保護カバー３の側壁３ｊ、３ｊの一部を構成する第２側壁５ｎ、５ｎと、それら第２側壁５ｎ、５ｎどうしをつなぐ前記天板３ｉとが、一体に形成されている。そこで、この第２側壁５ｎと基台４における第１側壁４ｎとで、付属保護カバー３の側壁３ｊが形成される。そして、このカバー５の各端部が、付属保護カバー３の接続口３ｃの一部を構成する第２接続口５ｃとなる。つまり、この第２接続口５ｃと基台４における第１接続口４ｅとで、付属保護カバー３の接続口３ｃが形成される。
【００４１】
また、カバー５は、前述したように、第２側壁５ｎの下面が合せ面５ｉとなって、基台４に組み付けられた際には、その基台４の第１側壁４ｎに設けられた合せ面４ｈと合わさる。そして、第２側壁５ｎには、その内周面側において合せ面５ｉから天板３ｉ方向に向かって窪む係合凹部５ｊ、５ｊが形成され、また、第２側壁５ｎの内周面からは、下方に突出するようにして、爪を有する第２係止部５ｋが形成されている。そこで、カバー５と基台４との組付けの際には、係合凹部５ｊと基台４の係合凸部４ｉとが係合することで、カバー５と基台４とは、互いに位置決めされ、第２係止部５ｋが基台４の第１係止部４ｊに係止されることで、カバー５は、基台４に取り付けられる。
【００４２】
そして、この第二の実施の形態に示す付属保護カバー３は、構築面１の入隅１ｘに配備されるものであるが、その作用効果は、第一の実施の形態と同様である。
【００４３】
図１８〜図２４は、本発明の第三の実施の形態を示す。この実施の形態では、付属保護カバー３が構築面１における出隅１ｙに配備され、このため、第一の実施の形態とは、付属保護カバー３の曲がりの方向が異なるが、他は同様であり、以下に、同様の部位には、同一の符号を付して異なる部分を主に説明する。なお、図１８および図１９は、直状保護カバー２、２と付属保護カバー３とを、構築面１に配備した状態を示す。そして、図２０および図２１は、基台４を示し、図２２〜図２４は、カバー５を示す。
【００４４】
この付属保護カバー３は、出隅１ｙを形成する２平面１ａ、１ａからなる構築面１における、その出隅１ｙでの配線・配管材の曲り部を保護すべく、前記出隅１ｙ上を曲がるように形成される。そして、この付属保護カバー３に設けられる（詳しくは、付属保護カバー３の曲がりの各端側に設けられる）接続口３ｃは、外側にふくらむことなく形成される。
【００４５】
具体的には、付属保護カバー３は、その曲がりのラインを含む平面を挟んで対峙する両側壁３ｊ、３ｊと、それら側壁３ｊ、３ｊどうしをつなぐ、底板３ｈおよび天板３ｉとからなる。そこで、好ましくは、案内部３ｄは、少なくとも両側壁３ｊ、３ｊおよび天板３ｉに設けられる。
【００４６】
ここにおいて、基台４は、例えば合成樹脂製であって、付属保護カバー３の側壁３ｊ、３ｊの一部を構成する第１側壁４ｎ、４ｎと、それら第１側壁４ｎ、４ｎどうしをつなぐ前記底板３ｈとが、一体に形成される。そして、第１側壁４ｎは、その下端面が直角に折れ曲がって形成され、底板３ｈは、両端部分が平板状に形成され、中間部分が湾曲して形成されている。そこで、第１側壁４ｎ、４ｎの下端面と底板３ｈの両端部分の下面が面一となって、構築面１に当接する当接面３ａを形成する。そして、この底板３ｈには、基台４を構築面１に固定するための、固定孔４ｃ、４ｃがあけられており、この固定孔４ｃ、４ｃを通って構築面１にねじ込まれたり打ち込まれたりする、ビスとか釘とかの固着具により、基台４は、構築面１に取付固定される。また、底板３ｈは、その曲がりの各端部が、第１側壁４ｎ、４ｎのそれぞれの各端部、つまりは側壁３ｊ、３ｊのそれぞれの各端部よりも控えて位置しており、その端面は、直状保護カバー２の端面２ａ（詳細には、底板２ｊの端面）が突き当たる突当て面４ｄとなる。したがって、第１側壁４ｎ、４ｎにおける、突当て面４ｄよりも突出する部分は、付属保護カバー３の接続口３ｃの一部を構成する第１接続口４ｅとなる。
【００４７】
また、基台４は、第１側壁４ｎの上面が合せ面４ｈとなって、カバー５が組み付けられた際には、そのカバー５の後述する第２側壁５ｎの合せ面５ｉとなる下面と合わさることとなる。そして、第１側壁４ｎからは、その内寄りの位置から突出するように係合凸部４ｉ、４ｉが形成され、また、第１側壁４ｎの内周面には、爪状の第１係止部４ｊ、４ｊが形成されている。そして、この第１係止部４ｊを挟むように、第１側壁４ｎの内周面には、突部４ｋ、４ｋが形成されている。
【００４８】
カバー５は、例えば合成樹脂製であって、付属保護カバー３の側壁３ｊ、３ｊの一部を構成する第２側壁５ｎ、５ｎと、それら第２側壁５ｎ、５ｎどうしをつなぐ前記天板３ｉとが、一体に形成されている。そこで、この第２側壁５ｎと基台４における第１側壁４ｎとで、付属保護カバー３の側壁３ｊが形成される。そして、このカバー５の各端部が、付属保護カバー３の接続口３ｃの一部を構成する第２接続口５ｃとなる。つまり、この第２接続口５ｃと基台４における第１接続口４ｅとで、付属保護カバー３の接続口３ｃが形成される。
【００４９】
そして、このカバー５に、案内部３ｄとしての第１および第２の案内部５ｐ、５ｑが設けられる。第１の案内部５ｐは、第２接続口５ｃよりも奥側に、天板３ｉの内周面から第２接続口５ｃ側に向かって斜めに突出して形成されて、両第２側壁５ｎ、５ｎに渡るように延びている（図１８、図２４参照）。そこで、この第１の案内部５ｐは、付属保護カバー３の曲がりにおける外側に位置することとなる。そして、この第１の案内部５ｐにおける奥側の面（つまり、表面）が、案内傾斜面３ｅとしての第１の案内傾斜面５ｒとなり、この第１の案内傾斜面５ｒは、天板３ｉから離れるほど第２接続口５ｃに向かうように傾斜して形成される。第２の案内部５ｑは、第２側壁５ｎと、第１の案内部５ｐおよび天板３ｉとに渡るように湾曲して形成される（図１８、図２４参照）。そして、この第２の案内部５ｑにおける表面が、案内傾斜面３ｅとしての第２の案内傾斜面５ｓとなる。ところで、第１の案内部５ｐは、一定の肉厚を有する天板３ｉから斜めに突出し、一定の肉厚を有する第２側壁５ｎ（側壁３ｊ）に渡るように延びて、その案内部５ｐの裏側の天板３ｉとの間に肉ぬすみＱが設けられることから、天板３ｉとか第２側壁５ｎ（側壁３ｊ）の表側におけるヒケの発生を防ぐことができる。同様に、第２の案内部５ｑは、一定の肉厚を有する第２側壁５ｎ（側壁３ｊ）と天板３ｉとに渡り、その案内部５ｑの裏側の第２側壁５ｎ（側壁３ｊ）との間に肉ぬすみＱが設けられることから、第２側壁５ｎ（側壁３ｊ）とか天板３ｉの表側におけるヒケの発生を防ぐことができる。
【００５０】
また、カバー５は、前述したように、第２側壁５ｎの下面が合せ面５ｉとなって、基台４に組み付けられた際には、その基台４の第１側壁４ｎに設けられた合せ面４ｈと合わさる。そして、第２側壁５ｎには、その内周面側において合せ面５ｉから天板３ｉ方向に向かって窪む係合凹部５ｊ、５ｊが形成され、また、第２側壁５ｎの内周面からは、下方に突出するようにして、爪を有する第２係止部５ｋ、５ｋが形成されている。そこで、カバー５と基台４との組付けの際には、係合凹部５ｊと基台４の係合凸部４ｉとが係合することで、カバー５と基台４とは、互いに位置決めされ、第２係止部５ｋが基台４の第１係止部４ｊに係止されることで、カバー５は、基台４に取り付けられる。
【００５１】
そして、この第三の実施の形態に示す付属保護カバー３は、構築面１の出隅１ｙに配備されるものであるが、その作用効果は、第一の実施の形態と同様である。
【００５２】
なお、本発明は、上述した実施の形態に限定されるわけではなく、その他種々の変更が可能である。例えば、直状保護カバー２および付属保護カバー３によって保護される配線・配管材Ｗは、配線材としては、光ファイバーＷ１の他に、電力線とか信号線等であってもよく、配管材としては、通水管とかドレーン管とか冷媒管等であってもよい。また、両保護カバー２、３に配線・配管材Ｗを挿通するにあたって、配線・配管材Ｗを直接挿通する以外に、呼び線を用いて挿通してもよい。
【００５３】
また、付属保護カバー３は、配線・配管材Ｗの曲り部を保護すべく、曲って形成されなくとも、直状に配設される配線・配管材のその直状部を保護すべく、直状に形成されて、その直状の各端側に、接続口３ｃが設けられてもよい。
【００５４】
また、案内傾斜面３ｅは、平面によって形成されても、円弧等を描くように湾曲する曲面によって形成されてもよく、さらには、平面とか曲面が適宜組み合わされて形成されてもよい。
【符号の説明】
【００５５】
１  構築面
１ａ  平面
１ｘ  入隅
１ｙ  出隅
２  直状保護カバー
２ａ  端面
３  付属保護カバー
３ａ  当接面
３ｂ  通路
３ｃ  接続口
３ｄ  案内部
３ｅ  案内傾斜面
３ｆ  内側壁
３ｇ  外側壁
３ｈ  底板
３ｉ  天板
３ｊ  側壁
４  基台
４ｆ  第１の案内部（案内部）
４ｇ  第１の案内傾斜面（案内傾斜面）
５  カバー
５ｄ  第２の案内部（案内部）
５ｅ  第３の案内部（案内部）
５ｆ  第２の案内傾斜面（案内傾斜面）
５ｈ  第３の案内傾斜面（案内傾斜面）
５ｐ  第１の案内部（案内部）
５ｑ  第２の案内部（案内部）
５ｒ  第１の案内傾斜面（案内傾斜面）
５ｓ  第２の案内傾斜面（案内傾斜面）
Ｗ  配線・配管材
【図１】
0005431183.tif 000002
【図２】
0005431183.tif 000003
【図３】
0005431183.tif 000004
【図４】
0005431183.tif 000005
【図５】
0005431183.tif 000006
【図６】
0005431183.tif 000007
【図７】
0005431183.tif 000008
【図８】
0005431183.tif 000009
【図９】
0005431183.tif 000010
【図１０】
0005431183.tif 000011
【図１１】
0005431183.tif 000012
【図１２】
0005431183.tif 000013
【図１３】
0005431183.tif 000014
【図１４】
0005431183.tif 000015
【図１５】
0005431183.tif 000016
【図１６】
0005431183.tif 000017
【図１７】
0005431183.tif 000018
【図１８】
0005431183.tif 000019
【図１９】
0005431183.tif 000020
【図２０】
0005431183.tif 000021
【図２１】
0005431183.tif 000022
【図２２】
0005431183.tif 000023
【図２３】
0005431183.tif 000024
【図２４】
0005431183.tif 000025
【図２５】
0005431183.tif 000026